(57)【要約】      （修正有）【課題】演奏装置設置ルーム内の室温はもとより、演奏装置の内部温度の急上昇を防止することができる温度制御システムを構築する。【解決手段】書き込み可能な記憶手段１４を備えた演奏装置１０と、当該演奏装置１０の設置ルームが付帯する冷房装置２４を制御するシステムであって、データ書き込み手段１３と、書き込み状態判別手段２５と、冷房運転制御手段２２とを有し、前記データの書き込み処理が予め決められた所定の稼動状態になったと判別した場合に、冷房運転制御手段２２に対して判別信号を送信し、冷房運転制御手段２２とは、前記書き込み状態判別手段２５から判別信号を受信した場合に、前記冷房装置２４に対して、予め設定した運転条件で冷房運転するように制御する構成とした。【選択図】図１
2008107062.tif 000002
【特許請求の範囲】
【請求項１】
書き込み可能な記憶手段を備えた演奏装置と、当該演奏装置の設置ルームが付帯する冷房装置を制御するシステムであって、データ書き込み手段と、書き込み状態判別手段と、冷房運転制御手段とを有し、
（ア）データ書き込み手段とは、前記演奏装置の記憶手段へ任意のデータの書き込み処理を行い、
（イ）書き込み状態判別手段とは、前記データの書き込み処理が予め決められた所定の稼動状態になったと判別した場合に、冷房運転制御手段に対して判別信号を送信し、
（ウ）冷房運転制御手段とは、前記書き込み状態判別手段から判別信号を受信した場合に、前記冷房装置に対して、予め設定した運転条件で冷房運転するように制御する、
ことを特徴とする演奏装置設置ルームの温度制御システム。
【発明の詳細な説明】
【技術分野】
【０００１】
本発明は、楽曲を歌唱ならびに観賞する演奏装置の内部温度が急激に上昇するのを防止するために、当該演奏装置の設置ルームが付帯する冷房装置を制御する温度制御システムに関する。
【背景技術】
【０００２】
カラオケ装置やジュークボックスなどの演奏装置には、多数のＩＣやメモリなどの電子部品やハードディスクドライブなどの書き込み可能な記憶装置が内蔵されており、利用者が歌唱や観賞しているときに、電子部品や記憶装置の稼動によって内部温度が上昇する。内部温度の上昇への対策としては、一般的に、演奏装置の内部にファンやペルチェ素子などの冷却装置を設けて冷却を行なっている。
【０００３】
演奏装置が電源オンされている間、内部温度が低くて冷却する必要がない場合でも、ずっと冷却装置を駆動させ続けることは非効率的である。このため、一般的に温度センサを設けておき、内部温度が上昇して冷却が必要とされる温度に至ったことを温度センサが検出したときに、冷却装置の駆動を開始している。そして、内部温度が所定の温度に低下したことを温度センサが検出したときに、冷却装置の駆動を停止する。
【０００４】
演奏装置の内部温度は、特に、センターサーバからの楽曲の供給時（演奏データの受信時）、または、演奏装置内の一の記憶装置から別の記憶装置へのバックアップ時などでは、前記記憶装置がフル稼働して発熱するため、演奏装置の内部温度が急激に上昇する。このような内部温度の急激な上昇は、内蔵されている電子部品や記憶装置に悪影響を与え、演奏装置の寿命が短縮されてしまう。
【０００５】
演奏装置に大型の冷却装置を内蔵すれば、内部温度の急激な上昇をある程度抑えることができるが、演奏装置そのものが大型化してしまう。また、演奏装置の内部に設けられた冷却装置は、装置内部の熱を装置外部へ排熱するか、あるいは、装置外部の空気を装置内部へ取り入れて冷却するので、原理的に、演奏装置の設置ルームの室温以下には冷却できない。したがって、冷却装置が駆動されているときは、演奏装置内部からの廃熱によって室温が上昇する。
【０００６】
通常、センターサーバからの楽曲の供給や記憶装置へのバックアップ処理は、演奏装置の利用時間が終了した後、すなわち、カラオケＢＯＸや飲食店舗が営業を終えた夜間に自動的に行なわれる。前述したように、冷却装置が駆動されているときは、演奏装置内部からの廃熱によって室温が上昇する。特に、夏季期間中は、設置環境下における設置ルームの室温上昇が激しく、業務時間外に冷房装置が作動していない状態では、演奏装置の故障の原因となることがある。
【０００７】
ここで、内蔵設置ルームに付帯する冷房装置を運転して室温を下げることにより、演奏装置の内部温度の上昇を抑えることが想到できる。しかし、センターサーバからの楽曲の供給や記憶装置へのバックアップ処理が、主として演奏装置の利用時間が終了した後に行なわれるため、業務時間外に設置ルームの冷房を運転し続けることは、経済的負担および省エネ問題などで不具合がある。
【０００８】
予め、センターサーバからの楽曲の供給時刻やバックアップ時刻を決めておき、冷房装置の目標温度や運転時間を設定し、自動的に冷房運転を開始して設置ルームの室温を低下させることも考えられるが、演奏装置に内蔵されている前記記憶装置の稼動状態が不規則である状況下では、設定運転時間と記憶装置の稼働時間とが必ずしも一致せず、演奏装置の内部温度の上昇に対処できない場合や、急激な冷却によって電子部品や記憶装置に悪影響を与える場合もある。
【０００９】
このような状況への対応として、例えば特許文献１のように、ルームエアコンなどの温度制御対象機器について、予め設定された運転開始時刻と運転終了時刻の各時刻での目標温度に基づき、決められた一定単位時間毎の制御目標温度を計算処理し、温度センサにより検知された現在の比較対象温度と前記制御目標温度とを比較して、前記温度制御対象機器の制御目標温度が運転中に刻々と緩やかに高くまたは低く変化するように制御する構成が知られている。
【特許文献１】特開平２００５−６０５６０号公報
【発明の開示】
【発明が解決しようとする課題】
【００１０】
特許文献１の発明では、一定単位時間毎の制御目標温度と温度センサにより検知された現在の比較対象温度とを比較して、制御目標温度が刻々と緩やかに高低へ変化するように制御するため、制御目標温度が唯一不変の絶対目標値である従来の温度制御対象機器とは異なり、冷房作用のし過ぎなどの不具合を解消できる。
【００１１】
しかし、演奏装置に内蔵されている前記記憶装置の稼動と設置ルームの室温に相関関係がある場合は、設置ルームの室温が上昇し始める段階では、すでに、演奏装置の内部温度がかなり上昇している状況となっている。また、温度センサが必要であることから、構成が複雑化してコストアップの要因となる。
【００１２】
そこで、本発明は、演奏装置に備えられた書き込み可能な記憶装置に、センターサーバからの楽曲の供給やデータのバックアップが行なわれている場合には、設置ルームに付帯する冷房装置を効率よく運転させることにより、設置ルーム内の室温はもとより、演奏装置の内部温度の急上昇を防止することができる温度制御システムの構築を課題とする。
【課題を解決するための手段】
【００１３】
上記課題を鑑みて、本発明者は、演奏装置に備えられた書き込み可能な記憶装置にセンターサーバからの楽曲の供給やデータのバックアップが行なわれているか否かを判別し、その判別結果によって自動的に設置ルーム付帯の冷房装置を駆動させ、設置ルームを冷房することにより、演奏装置の内部温度の急激な上昇を防止できることを見出して、本発明の演奏装置設置ルームの温度制御システムを想到した。
【００１４】
すなわち、本発明の演奏装置設置ルームの温度制御システムは、書き込み可能な記憶手段を備えた演奏装置と、当該演奏装置の設置ルームが付帯する冷房装置を制御するシステムであって、データ書き込み手段と、書き込み状態判別手段と、冷房運転制御手段とを有し、
（ア）データ書き込み手段とは、前記演奏装置の記憶手段へ任意のデータの書き込み処理を行い、
（イ）書き込み状態判別手段とは、前記データの書き込み処理が予め決められた所定の稼動状態になったと判別した場合に、冷房運転制御手段に対して判別信号を送信し、
（ウ）冷房運転制御手段とは、前記書き込み状態判別手段から判別信号を受信した場合に、前記冷房装置に対して、予め設定した運転条件で冷房運転するように制御する、
ことを特徴とする。
【発明の効果】
【００１５】
本発明の演奏装置設置ルームの温度制御システムによれば、データ書き込み手段が演奏装置の記憶手段に書き込み処理を行い、書き込み状態判別手段が、当該書き込み処理が予め決められた所定の稼動状態になったと判別した場合、例えば、センターサーバからの楽曲の供給時やデータのバックアップデータ時など、記憶手段がフル稼働している状態である場合は、冷房運転制御手段に対して判別信号を送信し、冷房運転制御手段は、受信した判別信号により演奏装置の設置ルームに付帯する冷房装置を駆動させる。
【００１６】
このように、前記演奏装置の記憶手段の実稼動開始のタイミングに合わせて、たとえ業務時間外であっても、前記冷房装置の冷房運転を効率的に開始するので、設置ルーム内の室温はもとより、記憶手段への書き込み処理時における演奏装置の内部温度の急激な温度上昇が緩和される。かくして、演奏装置の内部温度の急上昇による電子部品や記憶装置への悪影響を防止することができ、演奏装置の寿命を延ばすといった効果を奏する。また、温度センサが不要であり、コストダウンにも寄与できる。
【発明を実施するための最良の形態】
【００１７】
以下、本発明に係る演奏装置設置ルームの温度制御システムについて、好適な実施例をあげて説明する。
【実施例１】
【００１８】
図１は本発明に係る演奏装置設置ルームの温度制御システムのブロック図であり、本実施例では、一例としてカラオケ演奏装置の設置ルームに付帯する冷房装置を制御するシステムについて説明する。
【００１９】
カラオケ演奏装置１０は、ＣＰＵ、ＲＡＭ、ＲＯＭ等を含む中央制御部１１を有し、ルータやモデム等の通信制御部１２を介して通信回線１００に接続され、該通信回線１００を介してカラオケホスト装置（センターサーバ）２００に接続されている。
【００２０】
中央制御部１１には、前記ＲＡＭ、ＲＯＭ等の半導体メモリのほかに、デバイスドライバ１３を介して、書き込みおよび読み出し可能な記憶手段であるハードディスクドライブ（以下、ＨＤＤという）１４が接続されている。ＨＤＤ１４には、当該カラオケ演奏装置１０の制御プログラムや、多数のカラオケデータなどが記録されている。
【００２１】
カラオケ演奏装置１０が起動すると、ＣＰＵによりＲＯＭのブートプログラムが実行され、各電子回路が初期化されるとともに、ＨＤＤ１４から制御プログラムが読み出されて中央制御部１１のＲＡＭに書き込まれ、制御プログラムが実行されてカラオケ演奏装置１０が稼動状態となる。
【００２２】
カラオケ演奏装置１０には、外部にリモコン１５が備えられており、カラオケの利用者が該リモコン１５により所望の楽曲を選曲すれば、該リモコン１５から送信された選曲信号が「Ｉ／Ｏ」１６を介して中央制御部１１に入力される。中央制御部１１は選局信号を受け取ると、選曲された楽曲ＩＤをＲＡＭに記録されている予約待ち行列に予約登録するとともに、当該楽曲ＩＤに該当するカラオケデータをＨＤＤ１４から読み出す。
【００２３】
選曲された楽曲ＩＤに該当するカラオケデータがＨＤＤ１４に記録されていない場合は、中央制御部１１は通信制御部１２を介して前記通信回線１００に接続し、カラオケホスト装置２００から該当するカラオケデータをダウンロードしてＨＤＤ１４に記録する。
【００２４】
カラオケデータは、楽曲の伴奏音楽を生成するための演奏データと、モニタに表示される背景映像や歌詞テロップなどの画像データとが含まれている。演奏データはＭＩＤＩ形式で符号化されており、音響制御部１７で生成された伴奏音楽がスピーカ１９から再生される。一方、利用者が歌唱する音声はマイク１８に集音され、音響制御部１７で伴奏音楽とミキシングされてスピーカ１９から再生される。
【００２５】
また、画像データはコード化された歌詞文字群やＭＰＥＧ形式で圧縮された背景映像を含んでおり、中央制御部１１はＭＰＥＧデータを映像制御部２０にてＮＴＳＣの映像に変換し、伴奏音楽の生成に同期させて歌詞文字群を合成して、合成された映像信号が順次モニタ２１に表示される。
【００２６】
ここで、カラオケＢＯＸや飲食店舗などでは、カラオケ演奏装置１０の設置ルームにエアコンなどの冷房装置２４が設けられている。該冷房装置２４は、通常は冷房装置２４に付属するリモコン（図示せず）などを操作して運転が行なわれる。
【００２７】
また、該冷房装置２４は、中央制御部１１内に設けられた書き込み状態判別手段（プログラム）２５から、冷房運転制御手段（ソフトウェアもしくはスイッチなどのハードウエア）２２へ信号を送信し、「Ｉ／Ｏ」２３を介して冷房装置２４に対して制御信号が送ることにより、冷房装置２４に付属するリモコンを使用せずに、遠隔操作にて運転することが可能である。「Ｉ／Ｏ」２３から冷房装置２４への制御信号は、赤外線リモコンによる伝達や、ケーブル接続による伝達など任意の手段で行なうことができる。
【００２８】
前記カラオケＢＯＸや飲食店舗などの営業時間内では、通常は設置ルームの冷房装置２４が運転されており、また、カラオケ演奏装置１０が通常の利用状態では、ＨＤＤ１４への書き込み処理がそれほどフル稼動されることがないので、冷房装置２４の運転で設置ルームが適温に維持されていれば、カラオケ演奏装置１０の内部温度が急激に上昇することはない。
【００２９】
背景技術にて前述したように、カラオケ演奏装置１０は、カラオケホスト装置２００からの楽曲の供給時や、カラオケ演奏装置１０に備えられたＨＤＤ１４同士でのデータのバックアップ時など、ＨＤＤ１４がフル稼働している状態のときに、装置の内部温度が急上昇する。通常、上記楽曲の供給やバックアップ処理は、カラオケ演奏装置１０の利用時間が終了した後、すなわち、カラオケＢＯＸや飲食店舗が営業を終えた夜間に自動的に行なわれる。
【００３０】
書き込み状態判別手段２５は、楽曲の供給時やデータのバックアップ時など、ＨＤＤ１４がフル稼働している状態を判別し、冷房運転制御手段２２に対し判別信号を送信する。この判別信号を受けた冷房運転制御手段２２は、カラオケ演奏装置１０の利用時間外であっても、設置ルームが付帯する冷房装置２４を自動的に冷房運転して、設置ルームの室温を低下させることにより、カラオケ演奏装置１０の内部温度が急上昇するのを防止する。
【００３１】
すなわち、カラオケ演奏装置１０が通常の利用状態では、ＨＤＤ１４への書き込み処理が、数秒間から数十秒間で終了するのに対して、楽曲の供給時やデータのバックアップ時などでは、ＨＤＤ１４への書き込み処理が、十分から数十分の長時間に亘って行なわれるため、このことから、通常利用時の書き込み処理時間よりもはるかに長い時間（例えば、５〜１０分間）を基準時間と決めておき、この基準時間よりも長時間連続的に書き込み処理が行なわれている場合は、楽曲の供給時やデータのバックアップ時などでＨＤＤ１４がフル稼働状態であると判別し、その判別結果によって自動的に設置ルームの冷房装置２４を冷房運転して、装置の内部温度の急上昇を防止する。
【００３２】
図２は、本発明の制御手順を示すフローチャートである。書き込み状態判別手段２５からの信号により、データ書き込み手段であるデバイスドライバ１３を介してＨＤＤ１４へ任意のデータが書き込み処理されている場合は（ステップ101）、タイマ（図示せず）をスタートさせて書き込み処理時間の計測を開始する（ステップ102）。
【００３３】
前述したように、ＨＤＤ１４がフル稼働している状態を書き込み処理の時間で判別するため、予め決められた基準時間（例えば５分間）が経過したときに（ステップ103）、書き込み処理が継続中であるかどうかを判別する（ステップ104）。ここで、書き込み処理が継続していない場合は、基準時間に至らない短時間の書き込み処理であるので、前記タイマをクリアして（ステップ109）、制御を終了する。
【００３４】
前記ステップ104において、基準時間経過後も書き込み処理が継続中であれば、中央制御部１１の書き込み状態判別手段が、楽曲の供給時やデータのバックアップ時などでＨＤＤ１４がフル稼働状態であると判別し、前記タイマをクリアするとともに（ステップ105）、冷房運転制御手段２２に対して判別信号を送信する。
【００３５】
冷房運転制御手段２２は、中央制御部１１の書き込み状態判別手段から判別信号を受信した場合に、「Ｉ／Ｏ」２３を介して、設置ルームに設けられている冷房装置２４に対して、冷房運転を開始するよう制御して、カラオケ演奏装置１０の設置ルームを冷房する（ステップ106）。冷房装置２４の冷房運転は、目標温度や風量など、予め設定した運転条件で行なわれ、ＨＤＤ１４の書き込み処理が終了するまで継続する（ステップ107）。
【００３６】
カラオケホスト装置２００からの楽曲の供給や、カラオケ演奏装置１０に備えられたＨＤＤ１４同士でのデータのバックアップの終了に伴い、ＨＤＤ１４への書き込み処理が終了したときは、クールダウンとしての所定時間経過後（例えば１０〜２０分間程度）に、冷房装置２４の運転を停止する。
【００３７】
このように、ＨＤＤ１４への書き込み処理が予め決められた基準時間を経過した後も継続されている場合には、楽曲の供給時やデータのバックアップ時であると判別して、たとえ業務時間外であっても、設置ルームの冷房装置２４の冷房運転を効率的に開始するので、設置ルームの室温はもとより、カラオケ演奏装置１０の内部温度の急上昇を抑止することができる。また、温度センサも不要である。
【００３８】
なお、本実施例では、カラオケ演奏装置の設置ルームについて説明したが、書き込み可能な記憶手段を備えていれば、例えばジュークボックスなど他の演奏装置の設置ルームに対しても、本発明の温度制御システムを適用することができる。また、本発明は、本発明の精神を逸脱しない限り種々の改変を為すことができ、そして、本発明が該改変されたものに及ぶことは当然である。
【図面の簡単な説明】
【００３９】
【図１】本発明に係る演奏装置設置ルームの温度制御システムのブロック図。
【図２】本発明の制御手順を示すフローチャート。
【符号の説明】
【００４０】
１０  カラオケ演奏装置
１１  中央制御部
１３  デバイスドライバ（データ書き込み手段）
１４  ハードディスクドライブ（記憶手段）
２２  冷房運転制御手段
２４  冷房装置
２５  書き込み状態判別手段
【図１】
2008107062.tif 000003
【図２】
2008107062.tif 000004